(57)【特許請求の範囲】
【請求項１】
ハウジングと、
前記ハウジングに固定される第１回路ボードと、
前記第１回路ボードと少なくとも一部が重なり、前記ハウジングに固定される第２回路ボードと、
前記第１回路ボードと第２回路ボードとを電気的に連結するように構成される連結手段と、を含み、
前記ハウジングはウィンドウを含み、
前記第１回路ボードは、前記第１回路ボードに搭載されて映像を表示するディスプレイパネルを搭載し、
前記ディスプレイパネルは前記ウィンドウに付着され、
前記ハウジングは多数のタッチボタンに関連するボタン表示部を構成し、前記第１回路ボードは、前記第２回路ボードで誘発されたタッチによる機能を行う電気回路（ｃｉｒｃｕｉｔｒｙ）を含み、前記第２回路ボードは、前記タッチを受信するモジュールを構成しており、
前記モジュールは、
前記ハウジングのボタン表示部を遮蔽しない開口と、
前記開口の周りに形成される電極面と、
前記電極面に連結された回路を構成するＰＣＢ（Ｐｒｉｎｔｅｄ  Ｃｉｒｃｕｉｔ  Ｂｏａｒｄ）またはＦＰＣＢ（Ｆｌｅｘｉｂｌｅ  Ｐｒｉｎｔｅｄ  Ｃｉｒｃｕｉｔ  Ｂｏａｒｄ）と、
前記第２回路ボードに搭載された光源の光を前記開口に伝達するように延びた導光フィルムと、を含む電子装置における回路ボードの取付構造。
【請求項２】
前記ハウジングと第１回路ボードとの間には空き空間が存在し、前記第２回路ボードの少なくとも一部が前記空き空間に配置される、請求項１に記載の電子装置における回路ボードの取付構造。
【請求項３】
前記第２回路ボードの少なくとも一部は、前記ハウジングと第１回路ボードとの間において前記ディスプレイパネルが占めていない空間に配置される、請求項１に記載の電子装置における回路ボードの取付構造。
【請求項４】
前記第１回路ボードまたは第２回路ボードは、
前記電極面を介してタッチを検知するためのタッチセンサを搭載する、請求項１に記載の電子装置における回路ボードの取付構造。
【請求項５】
前記導光フィルムは前記開口を満たす、請求項１に記載の電子装置における回路ボードの取付構造。
【請求項６】
前記導光フィルムは、前記第１回路ボードと第２回路ボードとの間に配置されない、請求項１に記載の電子装置における回路ボードの取付構造。
【請求項７】
前記導光フィルムは、その一部が前記開口に嵌合され、前記ＰＣＢまたはＦＰＣＢと積層されずに水平に配置される、請求項１に記載の電子装置における回路ボードの取付構造。
【請求項８】
前記開口は、少なくとも一側が開放されており、前記開口の開放された部分はボトルネック形状を有する、請求項７に記載の電子装置における回路ボードの取付構造。
【請求項９】
前記第１回路ボードと第２回路ボードとは互いに接しない、請求項１に記載の電子装置における回路ボードの取付構造。
【請求項１０】
前記連結手段は、ＦＰＣＢ（Ｆｌｅｘｉｂｌｅ  Ｐｒｉｎｔｅｄ  Ｃｉｒｃｕｉｔ  Ｂｏａｒｄ）、ケーブル（ｃａｂｌｅ）及びワイヤ（ｗｉｒｅ）の何れか一つを含む、請求項１に記載の電子装置における回路ボードの取付構造。
【請求項１１】
請求項１から請求項１０の何れか一項に記載の回路ボードの取付構造を含む電子装置。
【発明の詳細な説明】
【技術分野】
【０００１】
本発明は、電子装置において回路ボードを取り付ける構造に関する。
【背景技術】
【０００２】
現在、電子通信産業の発達により、移動通信端末機（携帯電話）、電子手帳、個人複合端末機などの電子装置が現代社会の必需品となっており、急速に変化する情報伝達の重要な手段となっている。
【０００３】
近年、大きい画面を好む傾向が強くなることに伴い、さらに大きい画面が構成されているため、電子装置が大きくならざるを得ない。このような状況で、皮肉なことに、画面を大きく構成しながらも電子装置を小型化することで、外観を美しくしたり携帯性を高めたりするための多くの方案が求められており、代表的には、ハウジングの幅を減らす方法がある。通常、電子装置は、ユーザが押すことにより該当機能の入力信号を生成するボタンをハウジングに構成するが、ハウジングが小さい場合、細くなった空間にボタンを構成することが困難となる。さらに、このボタンの中には、別の回路ボードで構成されるものもあり、これは制限された空間での取り付けをさらに難しくしている。かかる問題は、単にボタンの回路ボードに限らず、多数のボードを構成する電子装置において解決すべき問題となっている。
【０００４】
図１は従来の電子装置における回路ボードの取付構造を図示する。
【０００５】
図１を参照すれば、回路ボードの取付構造１０００は、ハウジング１１１０と、ハウジング１１１０に収容されるメインボード１１２０及びタッチキー（ボタン）ボード１１３０と、を含む。
【０００６】
ハウジング１１１０は電子装置の外観を成すものであって、メインボード１１２０及びタッチキーボード１１３０がハウジングの内面に固定される。ハウジング１１１０は透明なウィンドウ１１１２を構成し、メインボード１１２０のディスプレイパネル１１２２はウィンドウ１１１２を介して外部に見られる。また、ハウジング１１１０はタッチボタンを表示する表示部１１１３を構成し、表示部１１１３の下側にタッチキーボード１１３０が配置される。タッチキーボード１１３０は電極面１１３２を構成する。電極面１１３２はハウジング１１１０の表示部１１１３を介してユーザの指により間接接触され、メインボード１１２０は、これを検知して該当機能を行う。
【０００７】
特に、従来の回路ボードの取付構造１０００は、メインボード１１２０とタッチキーボード１１３０とを積層せずに、水平に並べて配置する。したがって、タッチキーボード１１３０は、図示されたように電子装置の下端部側に過度に偏って配置される。これは、使用性を低下させ、かつ他の構造物の自由度を制限するという問題点を有する。
【発明の概要】
【発明が解決しようとする課題】
【０００８】
本発明の目的は、電子装置のサイズを減少または小型化することができる回路ボードの取付構造を提供することにある。
【０００９】
本発明の他の目的は、タッチボタンを具現する際における実装空間の無駄を減少する回路ボードの取付構造を提供することにある。
【課題を解決するための手段】
【００１０】
上記の課題を解決するための一様態として、本発明は、ハウジングと、前記ハウジングに固定される第１回路ボードと、前記第１回路ボードと少なくとも一部が重なり、前記ハウジングに固定される第２回路ボードと、前記第１回路ボードと第２回路ボードとを電気的に連結する連結手段と、を含む電子装置における回路ボードの取付構造を提供する。
【００１１】
上記の課題を解決するための他の様態として、本発明は、ウィンドウ及びボタン表示部を構成するハウジングと、前記ウィンドウに付着されて映像を表示するディスプレイパネルを搭載するメインボードと、前記ボタン表示部に付着されてタッチを受信するモジュールを構成するサブボードと、前記メインボードとサブボードとを電気的に連結する連結手段と、を含み、前記サブボードの少なくとも一部は、前記ハウジングとメインボードとの間において、前記ディスプレイパネルが占めていない空間に配置される電子装置を提供する。
【００１２】
下記の「発明を実施するための形態」部分を述べるにあたり、明細書に用いられる特定の単語及び構文の定義は、以下の通り解釈されることが好ましい。「含む」及び「構成する」という用語は、「含む」を意味すると限定されない。「または」という用語は、「及び／または」を意味することができる。「に係る」及び「上述のものに係る」は、「〜内に含まれた」、「〜と（〜に）連結された」、「〜内包する」、「〜内に内包される」、「〜と連絡できる」、「〜に協調する」、「〜に挟まれている」、「〜に併置される」、「〜に隣接する」、「〜を有する」などの意味で解釈され得る。「制御部（ｃｏｎｔｒｏｌｌｅｒ）」という用語は、少なくとも一つの動作を制御する機器、システムまたはシステムの一部を含む意味を有することができる。この制御部は、ハードウェア、ファームウェアまたはソフトウェア、またはこれらの少なくとも２つの組み合わせ内で実行されることができる。制御部に係る機能は、局所的または遠隔的に集中または分散されることができる。この明細書にて言及される単語または構文の定義は、通常の知識を有する者により理解される意味を有することができる。
【発明の効果】
【００１３】
本発明による回路ボードの取付構造は、電子装置のサイズを減少または小型化することができる。
【図面の簡単な説明】
【００１４】
【図１】従来の電子装置の回路ボードの取付構造を図示する。
【図２ａ】本発明の一実施例による電子装置の斜視図を図示する。
【図２ｂ】本発明の一実施例による電子装置における回路ボードの取付構造を図示する。
【図２ｃ】本発明の一実施例による電子装置における回路ボードの取付構造の断面図を図示する。
【図２ｄ】本発明の一実施例による電子装置において、サブボードの電極面の形状を図示する。
【図３ａ】本発明の一実施例による電子装置における回路ボードの取付構造を図示する。
【図３ｂ】本発明の一実施例による電子装置における回路ボードの取付構造の断面図を図示する。
【図４ａ】本発明の一実施例による電子装置における回路ボードの取付構造を図示する。
【図４ｂ】本発明の一実施例による電子装置における回路ボードの取付構造の断面図を図示する。
【図４ｃ】本発明の一実施例による電子装置において、サブボードの電極面の形状を図示する。
【発明を実施するための形態】
【００１５】
以下、図２ａから図４ｃは、本発明の技術的思想を反映する様々な実施例を示す。当業者であれば、適切に構成されたシステムまたは機器で本発明の技術的思想が適用されていることが理解できる。以下、添付図面を参照して本発明の動作原理を詳細に説明する。下記において本発明を説明するにあたり、公知機能または構成に係る具体的な説明が本発明の要旨を不明瞭にする可能性があると判断される場合は、その詳細な説明を省略する。また、後述する用語は、本発明での機能を考慮して定義された用語であって、これはユーザ、運用者の意図または慣例などによって変わり得る。したがって、その定義は、この明細書全般にわたる内容に基づいて決定されるべきである。
【００１６】
本発明は、実装空間の無駄を減らすことで、電子装置のサイズを減少または小型化することができる回路ボードの取付構造を提供する。本発明の一実施例は、ハウジングと、前記ハウジングに固定される第１回路ボードと、前記第１回路ボードと少なくとも一部が重なり、前記ハウジングに固定される第２回路ボードと、前記第１回路ボードと第２回路ボードとを電気的に連結する連結手段と、を含む電子装置における回路ボードの取付構造を提供する。また、本発明の一実施例は、透明なウィンドウ及び透明なボタン表示部を構成するハウジングと、前記ウィンドウに付着されて映像を表示するディスプレイパネルを搭載するメインボードと、前記ボタン表示部に付着されてタッチを受信するモジュールを構成するサブボードと、前記メインボードとサブボードとを電気的に連結する連結手段と、を含み、前記サブボードの少なくとも一部は、前記ハウジングとメインボードとの間において前記ディスプレイパネルが占めていない空間に配置される電子装置を提供する。
【００１７】
図２ａは本発明の一実施例による電子装置の斜視図を図示する。
【００１８】
図２ａを参照すれば、電子装置１０は、画面１１、スピーカ１２、マイク１３、センサ１４、タッチボタン１５を提供し、これらはハウジング１１０に収容される。特に、画面１１及びタッチボタン１５を提供する回路ボードの取付構造は、空間の無駄がないため、電子装置１０のサイズを減少または小型化することができる。これについての詳細な構成は、下記において図面を参照して説明する。
【００１９】
図２ｂは本発明の一実施例による電子装置における回路ボードの取付構造を図示する。
【００２０】
図２ｂを参照すれば、回路ボードの取付構造１００は、ハウジング１１０と、ハウジング１１０に収容されるメインボード１２０及びサブボード１３０と、を含む。
【００２１】
ハウジング１１０は電子装置１０の外観を成すものであって、メインボード１２０及びサブボード１３０はハウジング１１０の内面に固定される。ハウジング１１０は透明なウィンドウ１１２を構成し、メインボード１２０のディスプレイパネル１２２はウィンドウ１１２を介して外部に見られる。また、ハウジング１１０はタッチボタン１５を表示する（ボタン）表示部１１３を構成する。表示部１１３は透明であって、サブボード１３０から伝達された光を透過させる。
【００２２】
メインボード１２０は、電子装置１０の実行環境を設定し、電子装置１０の情報を維持させ、電子装置１０を安定して駆動させるとともに、電子装置１０の全ての装置におけるデータの入出力交換を円滑にさせる部分である。メインボード１２０は、基本回路及び部品を収納しているＰＣＢ１２１と、多数の部品、例えば、マイクロプロセッサ、サブプロセッサ、メモリー、ＢＩＯＳ、接続回路などと、を搭載する。特に、映像を出力するディスプレイパネル１２２及びユーザのタッチを検知するタッチセンサ（Ｔｏｕｃｈ  Ｓｅｎｓｏｒ）（不図示）を搭載する。かかるディスプレイパネル１２２はタッチスクリーンであることができる。
【００２３】
サブボード（またはタッチキーボード）１３０はユーザのタッチを受信し、メインボード１２０と電気的に連結されている。サブボード１３０とメインボード１２０とは、電気的コネクタ１３７（例えば、ＦＰＣＢ（Ｆｌｅｘｉｂｌｅ  Ｐｒｉｎｔｅｄ  Ｃｉｒｃｕｉｔ  Ｂｏａｒｄ）、ケーブル（ｃａｂｌｅ）、ワイヤ（ｗｉｒｅ）など）により電気的に連結されることができる。サブボード１３０は基本回路及び部品を収納しており、ＰＣＢ（Ｐｒｉｎｔｅｄ  Ｃｉｒｃｕｉｔ  Ｂｏａｒｄ）（またはＦＰＣＢ）１３１と、ＰＣＢ１３１の下面に付着された導光フィルム１３３と、を含む。サブボード１３０はハウジング１１０の内面に付着されており、ＰＣＢ１３１には、ハウジング１１０の表示部１１３を遮蔽しないように開口１３４が構成される。導光フィルム（Ｌｉｇｈｔ  Ｇｕｉｄｅ  Ｆｉｌｍ、ＬＧＦ）１３３は、光源１３６から伝達された光を伝達することができ、開口１３４に露出される。ＰＣＢ１３１の開口１３４に露出された導光フィルム１３３からの光は、ハウジング１１０の表示部１１３を介して発散される。表示部１１３が光を発散することで、ユーザはタッチボタン１５の存在を認識することになる。また、光を発散する表示部１１３は、タッチボタン１５を美麗にする。光源１３６はＬＥＤ（Ｌｉｇｈｔ  Ｅｍｉｔｔｉｎｇ  Ｄｉｏｄｅ）であることができ、サブボード１３０のＰＣＢ１３１に搭載されることができる。
【００２４】
また、サブボード１３０は、開口１３４の周りに電極面１３２を構成する。電極面１３２はハウジング１１０の表示部１１３を介して間接接触され、これをメインボード１２０のタッチセンサが検知する。ユーザがハウジング１１０の表示部１１３をタッチすると、メインボード１２０のタッチセンサは電極面１３２の静電容量の変化を検知する。メインボード１２０のタッチセンサは、多数のタッチボタンのうち何れのタッチボタンがタッチされたかを識別することができる。サブボード１３０はそのための回路を構成し、メインボード１２０はタッチセンサの信号に応じて該当機能を行う。
【００２５】
本発明の一実施例による回路ボードの取付構造は、空間の無駄を減らすために、サブボード１３０の少なくとも一部がメインボード１２０上に配置される。これについては図２ｃを参照して詳細に説明する。
【００２６】
図２ｃは本発明の一実施例による電子装置における回路ボードの取付構造の断面図を図示する。
【００２７】
図２ｃを参照すれば、メインボード１２０及びサブボード１３０はハウジング１１０に固定される。メインボード１２０のディスプレイパネル１２２は、ハウジング１１０のウィンドウ１１２に接着剤１４０により付着されることができる。かかる接着剤１４０は、光学弾性樹脂（Ｓｕｐｅｒ  Ｖｉｅｗ  Ｒｅｓｉｎ、ＳＶＲ）、光学透明接着剤（Ｏｐｔｉｃａｌｌｙ  Ｃｌｅａｒ  Ａｄｈｅｓｉｖｅ、ＯＣＡ）などであることができる。また、メインボード１２０のディスプレイパネル１２２は、所定厚さのエアギャップ（ａｉｒ  ｇａｐ）を介在してハウジング１１０のウィンドウ１１２に固定されることができる。さらに、サブボード１３０も所定厚さのエアギャップを介在してハウジング１１０に固定されることができる。メインボード１２０がハウジング１１０に付着される場合、メインボード１２０とハウジング１１０との間には、空間、特に、ディスプレイパネル１２２が占めていない空間が存在し、サブボード１３０の少なくとも一部がその空間１２３に収容される。サブボード１３０はハウジング１１０とメインボード１２０との間に介在されるが、メインボード１２０と必ずしも接しない。
【００２８】
図２ｄは本発明の一実施例による電子装置において、サブボードの電極面の形状を図示する。
【００２９】
図２ｄを参照すれば、サブボード１３０’の開口１３４’は、ハウジング１１０の表示部１１３に対応する形状を有しており、サブボード１３０’の電極面１３２’は、この開口１３４’以外の領域を含む形状を有する。かかる電極面１３２’は、図２ｂに図示された電極面１３２より拡張されているため、タッチの認識を向上させる。
【００３０】
図３ａは本発明の一実施例による電子装置における回路ボードの取付構造を図示する。
【００３１】
図３ａを参照すれば、回路ボードの取付構造２００は、ハウジング２１０と、ハウジング２１０に収容されるメインボード２２０及びサブボード２３０と、を含む。
【００３２】
ハウジング２１０は電子装置１０の外観を成すものであって、メインボード２２０及びサブボード２３０はハウジング２１０の内面に付着される。ハウジング２１０は透明なウィンドウ２１２を構成し、メインボード２２０のディスプレイパネル２２２はウィンドウ２１２を介して外部に見られる。また、ハウジング２１０はタッチボタン１５を表示する表示部２１３を構成する。表示部２１３は透明であって、サブボード２３０から伝達された光を透過させる。
【００３３】
メインボード２２０は、電子装置１０の実行環境を設定し、電子装置１０のその情報を維持させ、電子装置１０を安定して駆動させるとともに、電子装置１０の全ての装置におけるデータの入出力交換を円滑にさせる部分である。メインボード２２０は、基本回路及び部品を収納しているＰＣＢ２２１と、多数の部品、例えば、マイクロプロセッサ、サブプロセッサ、メモリー、ＢＩＯＳ、接続回路などと、を搭載し、特に、映像を出力するディスプレイパネル２２２及びユーザのタッチを検知するタッチセンサ（Ｔｏｕｃｈ  Ｓｅｎｓｏｒ）（不図示）を搭載する。
【００３４】
サブボード２３０はユーザのタッチを受信し、メインボード２２０と電気的に連結されている。サブボード２３０とメインボード２２０とは、ＦＰＣＢ（Ｆｌｅｘｉｂｌｅ  Ｐｒｉｎｔｅｄ  Ｃｉｒｃｕｉｔ  Ｂｏａｒｄ）、ケーブル（ｃａｂｌｅ）、ワイヤ（ｗｉｒｅ）などの連結手段（不図示）により電気的に連結されることができる。サブボード２３０は、基本回路及び部品を収納しており、ＰＣＢ（またはＦＰＣＢ）２３１と、ＰＣＢ２３１の下面に付着された導光フィルム２３３と、を含む。サブボード２３０はハウジング２１０の内面に付着されており、ＰＣＢ２３１には、ハウジング２１０の表示部２１３を遮蔽しないように開口２３４が構成される。導光フィルム（Ｌｉｇｈｔ  Ｇｕｉｄｅ  Ｆｉｌｍ、ＬＧＦ）２３３は、光源２３６から伝達された光を伝達することができ、開口２３４に露出される。ＰＣＢ２３１の開口２３４に露出された導光フィルム２３３からの光は、ハウジング２１０の表示部２１３を介して発散される。表示部２１３が光を発散することで、ユーザはタッチボタン１５の存在を認識することになる。また、光を発散する表示部２１３はタッチボタン１５を美麗にする。光源２３６は、ＬＥＤ（Ｌｉｇｈｔ  Ｅｍｉｔｔｉｎｇ  Ｄｉｏｄｅ）であることができ、サブボード２３０のＰＣＢ２３１に搭載されることができる。
【００３５】
特に、導光フィルム２３３は開口２３４を満たすように延びて、ハウジング２１０とメインボード２２０との間に介在されない。これについては、図３ｂを参照して詳細に説明する。
【００３６】
また、サブボード２３０は、開口２３４の周りに電極面２３２を構成する。電極面２３２はハウジング２１０の表示部２１３を介して間接接触され、これをメインボード２２０のタッチセンサが検知する。ユーザがハウジング２１０の表示部２１３をタッチすると、メインボード２２０のタッチセンサは電極面２３２の静電容量の変化を検知する。メインボード２２０のタッチセンサは、多数のタッチボタンのうち何れのタッチボタンがタッチされたかを識別することができる。サブボード２３０はそのための回路を構成し、メインボード２２０はタッチセンサの信号に応じて該当機能を行う。
【００３７】
本発明の一実施例による回路ボードの取付構造は、空間の無駄を減らすために、サブボード２３０の少なくとも一部がメインボード２２０上に配置される。これについて、図３ｂを参照して詳細に説明する。
【００３８】
図３ｂは本発明の一実施例による電子装置における回路ボードの取付構造の断面図を図示する。
【００３９】
図３ｂを参照すれば、メインボード２２０及びサブボード２３０はハウジング２１０に付着される。メインボード２２０のディスプレイパネル２２２は、ハウジング２１０のウィンドウ２１２に接着剤２４０により付着されることができる。かかる接着剤２４０は、光学弾性樹脂（Ｓｕｐｅｒ  Ｖｉｅｗ  Ｒｅｓｉｎ、ＳＶＲ）、光学透明接着剤（Ｏｐｔｉｃａｌｌｙ  Ｃｌｅａｒ  Ａｄｈｅｓｉｖｅ、ＯＣＡ）などであることができる。メインボード２２０がハウジング２１０に付着される場合、メインボード２２０とハウジング２１０との間には、空間、特に、ディスプレイパネル２２２が占めていない空間が存在し、サブボード２３０の少なくとも一部がその空間２２３に収容される。
【００４０】
また、上述したように、導光フィルム２３３は、参照符号２３５で示すように開口２３４を満たしており、ハウジング２１０とメインボード２２０との間に介在されないように光源２３６の側から延びた形状を有する。これは、ハウジング２１０とメインボード２２０との間の空き空間２２３の大きさ（体積）を考慮したものであって、サブボード２３０は、ハウジング２１０とメインボード２２０との間の空き空間２２３に収容される部分の厚さを減らすことができる。このような構成は、メインボード２２０のディスプレイパネル２２２をハウジング２１０のウィンドウ２１２に付着する工程における不良を減少させることにおいて重要な役割を果たすが、その理由は次のとおりである。ハウジング２１０とメインボード２２０との間にサブボード２３０を配置する場合、サブボード２３０が厚いほど、メインボード２２０のディスプレイパネル２２２とハウジング２１０のウィンドウ２１２とを付着させる際に用いられる接着剤２４０の厚さも厚くなる。接着剤２４０が厚いと、接着剤２４０が固まる時間がさらにかかるだけでなく、接着剤２４０が過度に多い場合には、接着剤２４０が完全に固まらずに流下する不良が発生する。結果として、本発明の構成は、接着剤２４０の厚さを減らし、不良を防止することができる。
【００４１】
図４ａは本発明の一実施例による電子装置における回路ボードの取付構造を図示する。
【００４２】
図４ａを参照すれば、回路ボードの取付構造３００は、ハウジング３１０と、ハウジング３１０に収容されるメインボード３２０及びサブボード３３０と、を含む。
【００４３】
ハウジング３１０は電子装置１０の外観を成すものであって、メインボード３２０及びサブボード３３０はハウジング３１０の内面に付着される。ハウジング３１０は透明なウィンドウ３１２を構成し、メインボード３２０のディスプレイパネル３２２はウィンドウ３１２を介して外部に見られる。また、ハウジング３１０はタッチボタン１５を表示する表示部３１３を構成する。表示部３１３は透明であって、サブボード３３０から伝達された光を透過させる。
【００４４】
メインボード３２０は、電子装置１０の実行環境を設定し、電子装置１０の情報を維持させ、電子装置１０を安定して駆動させるとともに、電子装置１０の全ての装置におけるデータの入出力交換を円滑にさせる部分である。メインボード３２０は、基本回路及び部品を収納しているＰＣＢ３２１と、多数の部品、例えば、マイクロプロセッサ、サブプロセッサ、メモリー、ＢＩＯＳ、接続回路などと、を搭載し、特に、映像を出力するディスプレイパネル３２２及びユーザのタッチを検知するタッチセンサ（Ｔｏｕｃｈ  Ｓｅｎｓｏｒ）（不図示）を搭載する。
【００４５】
サブボード３３０はユーザのタッチを受信し、メインボード３２０と電気的に連結されている。サブボード３３０とメインボード３２０とは、ＦＰＣＢ（Ｆｌｅｘｉｂｌｅ  Ｐｒｉｎｔｅｄ  Ｃｉｒｃｕｉｔ  Ｂｏａｒｄ）、ケーブル（ｃａｂｌｅ）、ワイヤ（ｗｉｒｅ）などの連結手段（不図示）により電気的に連結されることができる。サブボード３３０は、基本回路及び部品を収納しており、ＰＣＢ（またはＦＰＣＢ）３３１と、ＰＣＢ３３１と結合された導光フィルム３３３と、を含む。サブボード３３０はハウジング３１０の内面に付着されており、ＰＣＢ３３１には、ハウジング３１０の表示部３１３を遮蔽せず、少なくとも一側が開放された開口３３４が構成される。導光フィルム（Ｌｉｇｈｔ  Ｇｕｉｄｅ  Ｆｉｌｍ、ＬＧＦ）３３３は、光源３３６から伝達された光を伝達することができる。導光フィルム３３３は、開口３３４に嵌合できる部分３３５を有しており、ＰＣＢ３３１と水平に並んで配置される。すなわち、導光フィルム３３３はＰＣＢ３３１に積層されない。これについては、図４ｂを参照して詳細に説明する。導光フィルム３３３は、光源からの光を開口３３４に嵌合された部分３３５に伝達し、これによりハウジング３１０の表示部３１３が明るくなる。光源３３６は、ＬＥＤ（Ｌｉｇｈｔ  Ｅｍｉｔｔｉｎｇ  Ｄｉｏｄｅ）であることができ、メインボード３２０のＰＣＢ３２１またはサブボード３３０のＰＣＢ３３１に搭載されることができる。
【００４６】
また、サブボード３３０は開口３３４の周りに電極面３３２を構成する。電極面３３２は、ハウジング３１０の表示部３１３を介して間接接触され、これをメインボード３２０のタッチセンサが検知する。ユーザがハウジング３１０の表示部３１３をタッチすると、メインボード３２０のタッチセンサは電極面３３２の静電容量の変化を検知する。メインボード３２０のタッチセンサは、多数のタッチボタンのうち何れのタッチボタンがタッチされたかを識別することができる。サブボード３３０はそのための回路を構成し、メインボード３２０はタッチセンサの信号に応じて該当機能を行う。
【００４７】
本発明の一実施例による回路ボードの取付構造３００は、空間の無駄を減らすために、サブボード３３０の少なくとも一部がメインボード３２０上に配置される。これについては、図４ｂを参照して詳細に説明する。
【００４８】
図４ｂは本発明の一実施例による電子装置における回路ボードの取付構造を図示する。
【００４９】
図４ｂを参照すれば、メインボード３２０及びサブボード３３０はハウジング３１０に付着される。メインボード３２０のディスプレイパネル３２２は、ハウジング３１０のウィンドウ３１２に接着剤３４０により付着されることができる。かかる接着剤３４０は、光学弾性樹脂（Ｓｕｐｅｒ  Ｖｉｅｗ  Ｒｅｓｉｎ、ＳＶＲ）、光学透明接着剤（Ｏｐｔｉｃａｌｌｙ  Ｃｌｅａｒ  Ａｄｈｅｓｉｖｅ、ＯＣＡ）などであることができる。メインボード３２０がハウジング３１０に付着される場合、メインボード３２０とハウジング３１０との間には、空き空間３２３、特に、ディスプレイパネル３２２が占めていない空間が存在し、サブボード３３０の少なくとも一部がその空間３２３に収容される。
【００５０】
また、上述したように、導光フィルム３３３は、開口３３４に嵌合できる部分３３５を有しており、ＰＣＢ３３１と水平に並んで配置されるように光源３３６側から延びた形状を有する。これは、ハウジング３１０とメインボード３２０との間の空き空間３２３の大きさ（体積）を考慮したものであって、サブボード３３０は、ハウジング３１０とメインボード３２０との間の空き空間３２３に収容される部分の厚さを減少させることができる。このような構成は、メインボード３２０のディスプレイパネル３２２をハウジング３１０のウィンドウ３１２に付着する工程における不良を減少させることができ、その理由は上述のとおりである。
【００５１】
図４ｃは本発明の一実施例による電子装置において、サブボードの電極面の形状を図示する。
【００５２】
図４ｃを参照すれば、サブボード３３０’の開口３３４’は、ハウジング１１０の表示部１１３を遮蔽せず、少なくとも一側が開放されており、前記開口３３４’の開放された部分は、ボトルネック形状を有する。また、サブボード３３０’の電極面３３２’はこの開口３３４’の周りに構成されており、この電極面３３２’は、図４ａに図示された電極面３３２より拡張されているため、タッチの認識を向上させる。
【００５３】
本発明の一実施例において、タッチセンサがメインボードに構成されているが、これに限定されず、サブボードに構成されてもよい。タッチセンサを構成するサブボードは、電極面を介してタッチを検知し、その信号をメインボードに伝送する。メインボードは、サブボードから受信した信号に対応する機能を行うことができる。
【００５４】
本発明の詳細な説明で具体的な実施例について説明した一方で、本発明の範囲を逸脱しない限り、様々な変形が可能である。したがって、本発明の範囲は上述の実施例に限定して決まってはならず、添付の特許請求の範囲だけでなく、この特許請求の範囲と均等なものなどにより決まるべきである。
【符号の説明】
【００５５】
１０  電子装置、１５  タッチボタン、１００，２００，３００  回路ボードの取付構造、１１０，２１０，３１０  ハウジング、１１２，２１２，３１２  ウィンドウ、１１３，２１３，３１３  ボタン表示部、１２０，２２０，３２０  第１回路ボード、１２２，２２２，３２２  ディスプレイパネル、１３０，１３０’，２３０，３３０，３３０’  第２回路ボード、１３１，２３１，３３１  ＰＣＢ、１３２，１３２’，２３２，３３２，３３２’  電極面、１３３，２３３，３３３  導光フィルム、１３４，１３４’，２３４，３３４，３３４’  開口、１３６，２３６，３３６  光源、１３７  連結手段、２２３，３２３  空き空間
【図１】
0005933113.tif 000002
【図２ａ】
0005933113.tif 000003
【図２ｂ】
0005933113.tif 000004
【図２ｃ】
0005933113.tif 000005
【図２ｄ】
0005933113.tif 000006
【図３ａ】
0005933113.tif 000007
【図３ｂ】
0005933113.tif 000008
【図４ａ】
0005933113.tif 000009
【図４ｂ】
0005933113.tif 000010
【図４ｃ】
0005933113.tif 000011